(57)【要約】      （修正有）【課題】コンテナと共に運用しやすい太陽光発電パネル及び該太陽光発電パネルを搭載したコンテナ船を提供する。【解決手段】太陽光発電パネル３は、太陽光の光エネルギーを電力に変換する太陽電池を直並列に複数接続した太陽電池モジュール４と、太陽電池モジュール４を支持する支持部材５と、を有し、太陽電池モジュール４は、コンテナ船に搭載されるコンテナ２上に積載可能な大きさに形成されるとともに、支持部材５の角隅部にコンテナ２に接続可能かつコンテナ２の荷役装置に接続可能な隅金具６が配置されている。また、支持部材５の角隅部を構成する八隅にはコンテナ２の八隅に使用されている隅金具６と同じ隅金具６が配置されている。【選択図】図２
2012001152.tif 000002
【特許請求の範囲】
【請求項１】
太陽光の光エネルギーを電力に変換する太陽電池を直並列に複数接続した太陽電池モジュールを有する太陽光発電パネルであって、
前記太陽電池モジュールは、コンテナ船に搭載されるコンテナ上に積載可能な大きさに形成されるとともに、角隅部に前記コンテナに接続可能かつ前記コンテナの荷役装置に接続可能な隅金具が配置されている、ことを特徴とする太陽光発電パネル。
【請求項２】
前記隅金具は、前記角隅部を構成する八隅に配置されている、又は上下一対の角隅部を一つの角隅部とみなした四隅に配置されている、ことを特徴とする請求項１に記載の太陽光発電パネル。
【請求項３】
前記太陽電池モジュールを支持する支持部材を有し、該支持部材の角隅部に前記隅金具が配置されている、ことを特徴とする請求項１に記載の太陽光発電パネル。
【請求項４】
前記支持部材は、前記太陽電池モジュールの厚さ以上かつ前記コンテナの厚さ以下の厚さを有し、前記太陽電池モジュールの下部に附帯機器を搭載可能な収容部を有する、ことを特徴とする請求項３に記載の太陽光発電パネル。
【請求項５】
前記コンテナと前記隅金具とは、前記コンテナ同士の接続又は固縛に使用される締結金物と同じ締結金物により接続又は固縛される、ことを特徴とする請求項１に記載の太陽光発電パネル。
【請求項６】
前記隅金具は、前記荷役装置のスプレッダに接続可能に構成されており、前記荷役装置によって荷役される、ことを特徴とする請求項１に記載の太陽光発電パネル。
【請求項７】
前記太陽電池モジュールは、船体側に配置された配電設備と有線又は無線により送電可能に構成されている、ことを特徴とする請求項１に記載の太陽光発電パネル。
【請求項８】
船体上に多行多列に配置され多段に積載される複数のコンテナを運搬するコンテナ船であって、
最上段のコンテナの上面に請求項１乃至請求項７のいずれかに記載の太陽光発電パネルが配置されている、ことを特徴とするコンテナ船。
【請求項９】
前記最上段のコンテナは、隣接するコンテナよりも高さが低く、航海中に太陽光が遮られる遮光率が５０％以上である場合に、前記太陽光発電パネルが配置されない、ことを特徴とする請求項８に記載のコンテナ船。
【請求項１０】
前記最上段のコンテナは、隣接する全てのコンテナよりも高さが低い場合に前記太陽光発電パネルが配置されない、ことを特徴とする請求項８に記載のコンテナ船。
【請求項１１】
前記コンテナは、航海中に太陽光に曝されやすい側に傾斜するように階段上に積載されている、ことを特徴とする請求項８に記載のコンテナ船。
【発明の詳細な説明】
【技術分野】
【０００１】
本発明は、太陽光発電パネル及びコンテナ船に関し、特に、コンテナと共に運用しやすい太陽光発電パネル及び該太陽光発電パネルを搭載したコンテナ船に関する。
【背景技術】
【０００２】
一般に、水上を航行する船舶は、長時間、太陽光に曝されるため、船上に太陽光発電パネルを設置し、太陽光発電パネルから電力を得るのに適している。実際に、船上に太陽光発電パネルを設置して電力を得る船舶等が提案されている（例えば、特許文献１乃至特許文献３参照）。
【０００３】
例えば、特許文献１には、比較的広い上甲板を有する船舶（例えば、自動車運搬船）に太陽電池を設置した船舶用太陽光発電利用給電設備が記載されている。
【０００４】
また、特許文献２には、推進機構を備えたプラットフォーム形の船体に、太陽光を光電変換して電気エネルギーを得る太陽光発電システムと、風力を受けて回転する風車により発電機を運転して電気エネルギーを得る風力発電システムと、各発電システムによって発電した電気エネルギーを貯蔵する蓄電池と、を備える発電プラント船が記載されている。
【０００５】
また、特許文献３には、船上に太陽光発電パネルを搭載した様々な船舶が記載されている。特に、特許文献３の図６には、積載している各コンテナの最上部位に太陽光パネルを装設したコンテナ船が記載されている。また、コンテナの最上部位を覆うように太陽光パネルデッキを装設し、該デッキに太陽光パネルを配置するコンテナ船についても記載されている。
【先行技術文献】
【特許文献】
【０００６】
【特許文献１】特開２００２−３１５１９５号公報
【特許文献２】特開２００１−２１３３８８号公報
【特許文献３】特開２００９−１６１０３２号公報
【発明の概要】
【発明が解決しようとする課題】
【０００７】
しかしながら、特許文献１及び特許文献２に記載された船舶では、太陽光発電パネルを配置可能な十分な平面状の領域を有していることが前提となっており、甲板の大部分がコンテナで埋め尽くされているコンテナ船に適用することは困難であった。特に、コンテナ船の場合には、コンテナの積載高さが不均一であり広い平面状の領域が少ない、コンテナの荷役の際に太陽光発電パネルが邪魔になる、という問題もあった。
【０００８】
また、特許文献３には、コンテナ船にも太陽光発電パネルを設置できる旨が記載されているものの、どのように太陽光発電パネルを配置すればよいか、コンテナの積載高さの不均一やコンテナの荷役に基づく問題点をどのように解決するのか等については、具体的に記載されていない。
【０００９】
本発明は、上述した問題点に鑑み創案されたものであり、コンテナと共に運用しやすい太陽光発電パネル及び該太陽光発電パネルを搭載したコンテナ船を提供することを目的とする。
【課題を解決するための手段】
【００１０】
本発明によれば、太陽光の光エネルギーを電力に変換する太陽電池を直並列に複数接続した太陽電池モジュールを有する太陽光発電パネルであって、前記太陽電池モジュールは、コンテナ船に搭載されるコンテナ上に積載可能な大きさに形成されるとともに、角隅部に前記コンテナに接続可能かつ前記コンテナの荷役装置に接続可能な隅金具が配置されている、ことを特徴とする太陽光発電パネルが提供される。
【００１１】
また、本発明によれば、船体上に多行多列に配置され多段に積載される複数のコンテナを運搬するコンテナ船であって、最上段のコンテナの上面に、太陽光の光エネルギーを電力に変換する太陽電池を直並列に複数接続した太陽電池モジュールを有し、該太陽電池モジュールが、前記コンテナ上に積載可能な大きさに形成されるとともに、角隅部に前記コンテナに接続可能かつ前記コンテナの荷役装置に接続可能な隅金具が配置されている太陽光発電パネルが配置されている、ことを特徴とするコンテナ船が提供される。
【００１２】
上述の本発明に係る太陽光発電パネル及びコンテナ船において、前記隅金具は、前記角隅部を構成する八隅に配置されていてもよいし、上下一対の角隅部を一つの角隅部とみなした四隅に配置されていてもよい。
【００１３】
また、前記太陽光発電パネルは、前記太陽電池モジュールを支持する支持部材を有し、該支持部材の角隅部に前記隅金具が配置されていてもよい。
【００１４】
また、前記支持部材は、前記太陽電池モジュールの厚さ以上かつ前記コンテナの厚さ以下の厚さを有し、前記太陽電池モジュールの下部に附帯機器を搭載可能な収容部を有してもよい。
【００１５】
また、前記コンテナと前記隅金具とは、例えば、前記コンテナ同士の接続又は固縛に使用される締結金物と同じ締結金物により接続又は固縛される。
【００１６】
また、前記隅金具は、例えば、前記荷役装置のスプレッダに接続可能に構成されており、前記荷役装置によって荷役される。
【００１７】
また、前記太陽電池モジュールは、例えば、船体側に配置された配電設備と有線又は無線により送電可能に構成されている。
【００１８】
また、上述の本発明に係るコンテナ船において、前記最上段のコンテナは、隣接するコンテナよりも高さが低く、航海中に太陽光が遮られる遮光率が５０％以上である場合に、前記太陽光発電パネルが配置されなくてもよい。
【００１９】
また、前記最上段のコンテナは、隣接する全てのコンテナよりも高さが低い場合に前記太陽光発電パネルが配置されなくてもよい。
【００２０】
また、前記コンテナは、航海中に太陽光に曝されやすい側に傾斜するように階段上に積載されていてもよい。
【発明の効果】
【００２１】
上述した本発明に係る太陽光発電パネル及びコンテナ船によれば、太陽光発電パネルをコンテナに接続可能かつコンテナと同様の荷役装置で荷役可能に構成したことにより、広い平面状の領域が少なくコンテナの積載高さが不均一なコンテナ船であっても、容易に太陽光発電パネルをコンテナ上に配置することができ、コンテナの荷役の際にはコンテナと同様の操作により太陽光発電パネルを移動させることができる。したがって、コンテナと共に運用しやすい太陽光発電パネル及び該太陽光発電パネルを搭載したコンテナ船を提供することができる。
【図面の簡単な説明】
【００２２】
【図１】本発明に係るコンテナ船の第一実施形態を示す図であり、（ａ）は側面図、（ｂ）は平面図、である。
【図２】本発明に係る太陽光発電パネルの実施形態を示す鳥瞰図であり、（ａ）はコンテナ接続前の状態、（ｂ）はコンテナ接続後の状態、（ｃ）は変形例、を示している。
【図３】図２に示した太陽光発電パネルとコンテナとの接続方法の一例を示す図であり、（ａ）は接続前の状態、（ｂ）は係止前の状態、（ｃ）は係止後（接続後）の状態、を示している。
【図４】コンテナ船における太陽光発電パネル及びコンテナの積降しを説明するための図であり、（ａ）は太陽光発電パネルの積降し状態、（ｂ）はコンテナの積降し状態、を示している。
【図５】本発明に係る太陽光発電パネルの配線方法の一例を示した説明図であり、（ａ）は配線前、（ｂ）は配線後、を示している。
【図６】本発明に係る太陽光発電パネルの変形例を示す図であり、（ａ）はパネル全体図、（ｂ）は隅金具の拡大図、（ｃ）は隅金具の変形例を示す説明図、である。
【図７】本発明に係るコンテナ船の他の実施形態を示す図であり、（ａ）は第二実施形態、（ｂ）は第三実施形態、（ｃ）は第四実施形態、を示している。
【発明を実施するための形態】
【００２３】
以下、本発明に係るコンテナ船の第一実施形態及び該コンテナ船に使用される太陽光発電パネルについて、図１乃至図４を用いて説明する。ここで、図１は、本発明に係るコンテナ船の第一実施形態を示す図であり、（ａ）は側面図、（ｂ）は平面図、である。また、図２は、本発明に係る太陽光発電パネルの実施形態を示す鳥瞰図であり、（ａ）はコンテナ接続前の状態、（ｂ）はコンテナ接続後の状態、（ｃ）は変形例、を示している。また、図３は、図２に示した太陽光発電パネルとコンテナとの接続方法の一例を示す図であり、（ａ）は接続前の状態、（ｂ）は係止前の状態、（ｃ）は係止後（接続後）の状態、を示している。また、図４は、コンテナ船における太陽光発電パネル及びコンテナの積降しを説明するための図であり、（ａ）は太陽光発電パネルの積降し状態、（ｂ）はコンテナの積降し状態、を示している。
【００２４】
本発明の第一実施形態に係るコンテナ船１は、図１（ａ）及び（ｂ）に示すように、船体上に多行多列に配置され多段に積載される複数のコンテナ２を運搬するコンテナ船１であって、最上段のコンテナ２の上面に太陽光発電パネル３が配置されている。
【００２５】
前記コンテナ船１は、コンテナ２を運搬する専用船である。コンテナ船１は、荷役方法によって、リフトオン／オフ式コンテナ船とロールオン／オフ式コンテナ船とに区分されるが、本発明はいずれの形式のコンテナ船にも適用することができる。また、図示しないが、コンテナ船１の船倉内はセル構造をなしており、セルガイドを利用することにより、コンテナ２の保持及び荷役作業の効率化を図っている。また、上甲板上に積載されるコンテナ２は、一般に、ハッチカバー上の暴露部に積載されている。
【００２６】
また、一般に、コンテナ２の船体の前後方向の隙間には、ラッシングブリッジ（図示せず）が立設されており、暴露部に積層されたコンテナ２は、ラッシングブリッジを介してターンバックルやラッシングロッド等の締結金物により固縛されている。コンテナ船１が、ラッシングブリッジを有しない小型船の場合には、コンテナ２は、ハッチカバー間に設置されたアイプレートを介して締結金物により固縛されてもよい。また、コンテナ２を積載する暴露部が、船倉内と同様にセル構造をなしている場合には、コンテナ２は、セルガイドによって保持されていてもよい。
【００２７】
前記コンテナ２は、鋼鉄、アルミニウム等で形成され、規格化された直方体の容器である。コンテナ２には様々な物を収容することができ、その収容物によって、コンテナ２は、ドライコンテナ、オープントップコンテナ、冷凍コンテナ、バルクコンテナ、フラットトラックコンテナ、タンクコンテナ等の種類に分類される。また、コンテナ２は、海上輸送ではコンテナ船１により運搬され、陸上輸送では、トレーラーや貨物列車等により運搬される。
【００２８】
また、コンテナ２は、図２に示したように、コンテナ２を構成する直方体の八隅に隅金具６を有する。かかる隅金具６により、コンテナ２は、図１（ａ）及び（ｂ）に示したように、船体上に多行多列に配置されると共に多段に積載される。そして、上下に積層されたコンテナ２同士及び左右に隣接するコンテナ２同士は、ツイストロック、ポジショニングコーン、バーティカルスタッカ、アッパセキュアリングフィッティング、ターンバックル、ラッシングロッド等の締結金物により、接続及び固縛される。隅金具６は、図３（ａ）に示したように、コンテナ２の角隅部を構成する三つの平面部６１を有し、各平面部６１に長孔形状の開口部６２が形成されている。この開口部６２に適宜金物を接続することにより、コンテナ２が接続又は固縛される。
【００２９】
前記太陽光発電パネル３は、図２及び図３に示すように、太陽光の光エネルギーを電力に変換する太陽電池を直並列に複数接続した太陽電池モジュール４と、太陽電池モジュール４を支持する支持部材５と、を有し、太陽電池モジュール４は、コンテナ船１に搭載されるコンテナ２上に積載可能な大きさに形成されるとともに、支持部材５の角隅部にコンテナ２に接続可能かつコンテナ２の荷役装置に接続可能な隅金具６が配置されている。
【００３０】
太陽電池モジュール４は、いわゆる太陽電池をパネル状に複数接続したものであってもよいし、一般的な１ｍ×２ｍ程度の太陽電池モジュールをさらに直並列に複数接続した太陽電池アレイであってもよい。すなわち、太陽電池モジュール４は、規格化されたコンテナ２の平面内に配置可能な大きさに複数の太陽電池をパネル状に敷き詰めた構成を有していればよい。
【００３１】
支持部材５は、例えば、角材やアングル材により直方体に形成された支持枠体５１を有する。支持枠体５１は、太陽光発電パネル３の骨格となる部品である。太陽電池モジュール４は、かかる支持枠体５１に固定金具等により直に固定するようにしてもよい。また、太陽電池モジュール４と支持枠体５１との間に固定用のアダプタ５２を配置するようにしてもよい。アダプタ５２は、太陽電池モジュール４の外周を覆うと共に支持枠体５１に固定金具等により接続される。また、アダプタ５２内に緩衝材を内蔵して、太陽電池モジュール４を荷役時等の衝撃から保護するように構成してもよいし、アダプタ５２内に駆動モータ等を配置して、太陽電池モジュール４を任意の方向に傾動できるように構成してもよい。
【００３２】
また、支持枠体５１（すなわち、支持部材５）の角隅部を構成する八隅にはコンテナ２の八隅に使用されている隅金具６と同じ隅金具６が配置されている。このように、支持部材５をコンテナ２の規格に合わせて構成することにより、太陽光発電パネル３をコンテナ２と同様に運用することができる。具体的には、図３（ａ）に示したように、隅金具６は、支持枠体５１の角隅部を構成する三つの平面部６１を有し、各平面部６１に長孔形状の開口部６２が形成されている。したがって、図２（ａ）に示したように、太陽光発電パネル３をコンテナ２の上方に移動し、図２（ｂ）に示したように、太陽光発電パネル３をコンテナ２の上に載置することによって、太陽光発電パネル３とコンテナ２とを容易に接続及び固縛することができる。
【００３３】
また、太陽光発電パネル３は、例えば、図２（ｂ）に示したように、コンテナ２の厚さＤｃより薄い厚さＤｐを有する。太陽光発電パネル３は、太陽電池モジュール４を保持し得る厚さＤｐを有していればよい。
【００３４】
また、図２（ｃ）の変形例に示したように、太陽光発電パネル３は、太陽電池モジュール４の下部に附帯機器７を搭載可能な収容部８を有していてもよい。附帯機器７は、例えば、種々の配線、配電盤、蓄電池、温度調節装置、塩害対策装置等、航海中における太陽電池モジュール４の運用やメンテナンス等に必要となる機器である。そして、必要な附帯機器７の種類や大きさによって、太陽光発電パネル３の厚さＤｐが設定される。このとき、太陽光発電パネル３をコンテナ２と同様の操作により運用するためには、太陽光発電パネル３の厚さＤｐをコンテナ２の厚さＤｃ以下とすることが好ましい。かかる収容部８を太陽光発電パネル３に配置することにより、航海中における太陽電池モジュール４の運用やメンテナンス等を効率よく行うことができる。
【００３５】
ここで、図３は、太陽光発電パネル３とコンテナ２との接続方法の一例を示している。図３（ａ）に示すように、コンテナ２は角隅部に隅金具６を有し、太陽光発電パネル３も角隅部に隅金具６を有する。そして、コンテナ２の上面と太陽光発電パネル３の下面との対応する位置に配置された隅金具６同士は、例えば、ツイストスタッカー等の締結金物９により接続される。
【００３６】
例えば、締結金物９は、二つの突起部９１，９２と、これらの突起部９１，９２を連結する連結部９３と、連結部９３の中央に設置されたフランジ部９４と、を有する。突起部９１，９２は、開口部６２に挿入可能な長円形状を有し、図示しないレバーにより連結部９３の周囲に回動可能に構成されており、その回動によって、突起部９１，９２が開口部６２に係止される。具体的には、図３（ｂ）に示したように、一方の突起部９１をコンテナ２の隅金具６の上面の開口部６２に挿入し、他方の突起部９２を太陽光発電パネル３の隅金具６の下面の開口部６２に挿入した後、突起部９１，９２を回動させることにより、図３（ｃ）に示したように、突起部９１，９２を両方の隅金具６に係止させる。その結果、締結金物９により、太陽光発電パネル３とコンテナ２とが接続される。
【００３７】
かかる締結金物９は、コンテナ２同士の接続にも使用される締結金物９であり、コンテナ２同士の接続と同様の操作により、太陽光発電パネル３をコンテナ２上に容易に接続することができる。
【００３８】
ここでは、上下に隣接する太陽光発電パネル３とコンテナ２との接続方法について説明したが、左右に隣接する太陽光発電パネル３同士の接続及び積載時に側面部に位置する開口部６２を利用したラッシングブリッジ等との固縛においても、コンテナ２同士の接続又は固縛に使用される締結金物と同じ締結金物を使用することができる。したがって、コンテナ２同士の接続と同様の操作により、太陽光発電パネル３をコンテナ２上に容易に接続及び固縛することができる。
【００３９】
次に、コンテナ船１における太陽光発電パネル３及びコンテナ２の積降しについて説明する。いま、コンテナ２の最上段に太陽光発電パネル３が積載されたコンテナ船１が寄港した場合を想定する。港では、コンテナ船１から所定のコンテナ２が積降される。そこで、図４（ａ）に示したように、例えば、最初に、太陽光発電パネル３がコンテナ船１から陸上側（港）に積降される。
【００４０】
上述したように、太陽光発電パネル３には、コンテナ２に使用されている隅金具６と同じ隅金具６が配置されている。したがって、太陽光発電パネル３の隅金具６は、コンテナ２を荷役するガントリークレーン等の荷役装置１０のスプレッダ１０１に接続可能に構成されており、かかる荷役装置１０によって太陽光発電パネル３を荷役することができ、コンテナ船１から容易に積降すことができる。
【００４１】
ここで、コンテナ船１に積載されている全ての太陽光発電パネル３を降ろす必要はなく、当該港で荷役する対象のコンテナ２の最上段に配置された太陽光発電パネル３のみを陸上側（港）に降ろすようにしてもよい。また、陸上側に太陽光発電パネル３を載置しておく空間が不足する場合には、陸上側で太陽光発電パネル３を積み上げて載置領域を節約してもよいし、コンテナ船１上のコンテナ２や太陽光発電パネル３の上に積み上げるようにしてもよい。
【００４２】
そして、積降し対象の太陽光発電パネル３を移動させた後、図４（ｂ）に示したように、所望のコンテナ２が荷役装置１０によりコンテナ船１から積降される。なお、積荷の場合も同様に、荷役装置１０によりコンテナ２及び太陽光発電パネル３がコンテナ船１上に荷役される。
【００４３】
以上、本発明の第一実施形態に係るコンテナ船１及び太陽光発電パネル３によれば、太陽光発電パネル３をコンテナ２と同様に荷役装置１０で取り扱うことができるため、太陽光発電パネル３をコンテナ２の荷役の妨げにならないように容易に移動させることができる。また、コンテナ２同士を接続又は固縛する方法と同様の方法で太陽光発電パネル３をコンテナ２上に接続又は固縛することができるので、太陽光発電パネル３以外の新たな設備等が不要であり、コストの面でも安価に済ますことができる。
【００４４】
すなわち、太陽光発電パネル３をコンテナ２に接続可能かつコンテナ２と同様の荷役装置１０で荷役可能に構成したことにより、広い平面状の領域が少なくコンテナ２の積載高さが不均一なコンテナ船１であっても、容易に太陽光発電パネル３をコンテナ２上に配置することができ、コンテナ２の荷役の際にはコンテナ２と同様の操作により太陽光発電パネル３を移動させることができる。
【００４５】
なお、太陽光発電パネル３を用いた発電システムに必要な、配電設備、制御装置、電力変換装置等の機器は、一般に、コンテナ船１の船体側に配置される。かかる発電システムには、太陽光発電パネル３が発電した電力を蓄電する単数又は複数の蓄電池を組み込むようにしてもよい。また、配電設備は、積載されたコンテナ２間に立設されたラッシングブリッジ近傍に配置された既存の配電設備を利用するようにしてもよい。そして、太陽光発電パネル３（太陽電池モジュール４）は、船体側に配置された配電設備と有線又は無線により送電可能に構成される。ここで、太陽光発電パネル３の配線方法の一例について説明する。図５は、本発明に係る太陽光発電パネルの配線方法の一例を示した説明図であり、（ａ）は配線前、（ｂ）は配線後、を示している。
【００４６】
図５に示したように、太陽光発電パネル３は、コンテナ２の最大積載高さと同程度の長さを有する接続ケーブル３１と、接続ケーブル３１の先端に配置されたプラグ３２と、を備える。接続ケーブル３１は、太陽光発電パネル３の側面から垂らされており、プラグ３２は、ラッシングブリッジ１１等の船体に配置された船体側レセップ１２に接続される。また、接続ケーブル３１は、太陽光発電パネル３又は収容部８の内部に折り畳んで収容可能に構成されていてもよいし、リール等により巻き取り及び引き出し可能に構成されていてもよい。このように、接続ケーブル３１を収納可能に構成することにより、太陽光発電パネル３の荷役時等に接続ケーブル３１が邪魔になることがない。なお、接続ケーブル３１を収納可能に構成した場合には、引き出し用の紐を接続ケーブル３１に配置するようにしてもよい。
【００４７】
また、上述した接続ケーブル３１を用いた有線接続による送電方法に替えて、非接触送電技術を用いた送電方法を採用することもできる。かかる非接触送電技術を用いた送電方法には、例えば、電磁誘導方式、マイクロ波方式、レーザ方式等の送電方法がある。
【００４８】
次に、上述した太陽光発電パネル３の変形例について説明する。ここで、図６は、本発明に係る太陽光発電パネルの変形例を示す図であり、（ａ）はパネル全体図、（ｂ）は隅金具の拡大図、（ｃ）は隅金具の変形例を示す説明図、である。
【００４９】
図６（ａ）に示した太陽光発電パネル３は、太陽光の光エネルギーを電力に変換する太陽電池を直並列に複数接続した太陽電池モジュール４を有し、太陽電池モジュール４は、コンテナ船１に搭載されるコンテナ２上に積載可能な大きさに形成されるとともに、角隅部にコンテナ２に接続可能かつコンテナ２の荷役装置１０に接続可能な隅金具６が配置されたものである。すなわち、支持部材５を使用せずに、太陽電池モジュール４に直に隅金具６を配置したものである。このように、太陽光発電パネル３が薄い場合には、隅金具６は、必ずしも角隅部を構成する八隅に配置する必要はなく、上下一対の角隅部を一つの角隅部とみなした四隅に配置するようにしてもよい。これは、支持部材５を使用した太陽光発電パネル３の場合も同様である。
【００５０】
図６（ｂ）に示したように、隅金具６は、太陽光発電パネル３の角隅部を構成する四つの平面部６１を有し、各平面部６１に長孔形状の開口部６２が形成されている。このように、太陽光発電パネル３の上面及び下面を構成する平面部６１及び開口部６２を備えた隅金具６を四隅の角隅部に配置することにより、八隅の角隅部に隅金具６を配置した場合と同様に、太陽光発電パネル３をコンテナ２上に積載したり、荷役装置１０で荷役したりすることができる。また、太陽光発電パネル３の薄型化、軽量化、積載時高さの低減化等を図ることもできる。なお、隅金具６は、ツイストスタッカー等の締結金物９が上下に挿入可能な高さに形成される。
【００５１】
また、図６（ｃ）に示した隅金具６の変形例は、太陽光発電パネル３の下面を構成する平面部６１に、開口部６２の替わりにスタッキングコーン６３を形成したものである。スタッキングコーン６３は、コンテナ２の隅金具６の上面に形成された長孔形状の開口部６２に挿入可能な長円形状に形成された突起である。また、スタッキングコーン６３は、ツイストスタッカーに使用されているような可動式のコーンに変更してもよい。かかる構成によっても、太陽光発電パネル３をコンテナ２上に積載したり、荷役装置１０で荷役したりすることができる。また、太陽光発電パネル３の薄型化、軽量化、積載時高さの低減化、接続工程の省力化等を図ることもできる。
【００５２】
続いて、本発明の他の実施形態に係るコンテナ船１について説明する。ここで、図７は、本発明に係るコンテナ船の他の実施形態を示す図であり、（ａ）は第二実施形態、（ｂ）は第三実施形態、（ｃ）は第四実施形態、を示している。なお、第一実施形態に示した構成部品と同じ構成部品については、同じ符号を付して重複した説明を省略する。
【００５３】
図７（ａ）に示した第二実施形態は、コンテナ船１に積載されたコンテナ２の一部の最上段に太陽光発電パネル３を配置したものである。ここでは、コンテナ２の最上段が、一定の高さよりも高い位置にある部分に太陽光発電パネル３を配置している。一般に、コンテナ船１におけるコンテナ２の積載高さは不均一であり、高く積載されたコンテナ２の周囲では太陽光が遮られる割合（遮光率）が高い。そこで、太陽光発電パネル３は、遮光率が低く、太陽光が効率的に当る箇所に配置されることが好ましい。このように、太陽光がよく当る箇所にのみ、太陽光発電パネル３を配置した場合、少ない太陽光発電パネル３で効率的に発電を行うことができる。
【００５４】
例えば、最上段のコンテナ２が、隣接するコンテナ２よりも高さが低く、航海中に太陽光が遮られる遮光率が５０％以上である場合に、太陽光発電パネル３が配置されないようにしてもよい。遮光率は、コンテナ船１の航路、運航スケジュール、天候等の条件から計算により算出するようにしてもよいし、予めコンテナ船１上の各箇所の平均遮光率を測定して算出するようにしてもよい。なお、ここでは遮光率が５０％の場合について言及したが、太陽光発電パネル３を設置する利点を考慮して、遮光率を４０％や６０％等のように任意に閾値を設定することができる。
【００５５】
図７（ｂ）に示した第三実施形態は、最上段のコンテナ２が、隣接する全てのコンテナ２よりも高さが低い場合に、太陽光発電パネル３を配置しないようにしたものである。このように、周囲の全てのコンテナ２よりも最上段のコンテナ２の高さが低い場合、太陽光発電パネル３を配置したとしても、太陽光が周囲のコンテナ２により遮られ易い。そこで、このような場合には、遮光率を算出することなく、太陽光発電パネル３を配置しないようにしてもよい。したがって、太陽光がよく当る箇所にのみ、太陽光発電パネル３を容易に配置することができ、少ない太陽光発電パネル３で効率的に発電を行うことができる。
【００５６】
図７（ｃ）に示した第四実施形態は、コンテナ２が航海中に太陽光に曝され易い側に傾斜するように階段上に積載されており、その最上段に太陽光発電パネル３を配置したものである。一般に、コンテナ船１は、航路及び運航スケジュールが予め定まっているため、コンテナ２の積荷計画を、太陽光発電パネル３が太陽光に曝され易くなることを条件に設定することができる。かかるコンテナ２の積荷計画は任意に設定することができ、中央を高く積載した山形であってもよいし、船首側及び船尾側で傾斜の方向を変更するようにしてもよいし、船首側又は船尾側に向かって傾斜させるようにしてもよい。このように、航路と太陽の位置とを考慮してコンテナ２の積荷計画を設定することにより、太陽光発電パネル３で効率的に発電を行うことができる。
【００５７】
本発明は上述した実施形態に限定されず、太陽光発電パネル３は、コンテナ船１上だけでなく、陸上に積載されたコンテナ２上に配置して利用することもできる等、本発明の趣旨を逸脱しない範囲で種々変更が可能であることは勿論である。
【符号の説明】
【００５８】
１  コンテナ船
２  コンテナ
３  太陽光発電パネル
４  太陽電池モジュール
５  支持部材
６  隅金具
７  附帯機器
８  収容部
９  締結金物
１０  荷役装置
１０１  スプレッダ
【図１】
2012001152.tif 000003
【図２】
2012001152.tif 000004
【図３】
2012001152.tif 000005
【図４】
2012001152.tif 000006
【図５】
2012001152.tif 000007
【図６】
2012001152.tif 000008
【図７】
2012001152.tif 000009